(57)【要約】【課題】洗浄後の乾燥時間を短縮することを可能としたパレット及びパレットに用いるグロメットを提供する。【解決手段】パレット１は、デッキボード２０を上下に貫通した貫通孔２４にグロメット１０が取り付けられる。グロメット１０は、貫通孔２４内に位置する胴部１１と、上鍔部１２Ａの内面から外面の方向へ外周部の一部を切り欠き上鍔部の外面側を残存させて構成した薄肉部１３を備えた上部拡径部１２と、下鍔部１４Ａを上下に貫通して切り欠いた下部切欠部１５を備えた下部拡径部１４とを備える。貫通孔２４は、デッキボード２０の載置面２２側に備え、上部拡径部１２を支持する上部支持部４２と、上部支持部４２に連続し、胴部１１が位置する貫通部４１と、下部拡径部１４を挿入端として、上部支持部４２の側から貫通孔２４に挿入されたグロメット１０の下部拡径部１４の上面１４Ｂと係合する係合部４３とを備える。【選択図】図５
2019023103.tif 000002
【特許請求の範囲】
【請求項１】
デッキボードを上下に貫通した貫通孔にグロメットが取り付けられたパレットにおいて、
前記グロメットは、
前記貫通孔内に位置する胴部と、
前記胴部の上部から外側に張り出した上鍔部を備えた上部拡径部であって、前記上鍔部の内面から外面の方向へ外周部の一部を切り欠き前記上鍔部の外面側を残存させた薄肉部を備えた前記上部拡径部と、
前記胴部の下部から外側に張り出した下鍔部と前記下鍔部を上下に貫通して切り欠いた下部切欠部とを備えた下部拡径部とを備え、
前記貫通孔は、
前記デッキボードの載荷面側に備え、前記上部拡径部を支持する上部支持部と、
前記上部支持部に連続し、前記胴部が位置する貫通部と、
前記下部拡径部を挿入端として、前記上部支持部の側から前記貫通孔に挿入された前記グロメットの前記下部拡径部の内面と係合する係合部とを備える
パレット。
【請求項２】
前記胴部は、上部から下部に向かうほど縮径し、
前記下部拡径部は、前記上部拡径部よりも小径である
請求項１に記載のパレット。
【請求項３】
前記貫通孔の周壁は、前記載荷面に対する垂直面であり、前記胴部の外周面と前記周壁との間には、空間部が構成されている
請求項２に記載のパレット。
【請求項４】
前記薄肉部と前記下部切欠部とは、前記胴部の周回方向において同じ位置に設けられている
請求項１〜３のいずれか一項に記載のパレット。
【請求項５】
パレットのデッキボードを上下に貫通した貫通孔に取り付けられるグロメットであって、
前記貫通孔内に位置する胴部と、
前記胴部の上部から外側に張り出した上鍔部を備えた上部拡径部であって、前記上鍔部の内面から外面の方向へ外周部の一部を切り欠き前記上鍔部の外面側を残存させた薄肉部を備えた前記上部拡径部と、
前記胴部の下部及び前記下部の外側に張り出した下鍔部と前記下鍔部を上下に貫通して切り欠いた下部切欠部とを備えた下部拡径部とを備える
グロメット。
【発明の詳細な説明】
【技術分野】
【０００１】
本発明は、パレット及びグロメットに関する。
【背景技術】
【０００２】
物品の運搬や保管などに用いられるパレットにおいては、合成樹脂製のものが多用されている。合成樹脂製のパレットは、軽量、耐久性、耐吸水性、及び耐汚染性等の点で優れている一方、表面が滑りやすい特徴を有している。そのため、パレットの載荷面やフォークが挿入されるフォーク挿入孔に臨む面には、防滑部材としてグロメットが取り付けられている。具体的には、グロメットは、パレットの載荷面やフォーク挿入孔に臨む面に設けられた凹部に当該面に露出するように取り付けられている（例えば、特許文献１参照）。
【先行技術文献】
【特許文献】
【０００３】
【特許文献１】特開平１０−７７０３７号公報
【発明の概要】
【発明が解決しようとする課題】
【０００４】
ところで、上記特許文献１に記載のパレットは、使用後、洗浄水で洗浄されるが、洗浄の際に、パレットのグロメットを取り付けた凹部に洗浄水が残存してしまうことがある。特許文献１では、グロメットを取り付ける凹部にグロメットが嵌合されている。したがって、グロメットと凹部の周壁との間から浸入した洗浄水は、凹部内に溜まってしまい、その結果、パレットを乾燥させる乾燥時間が長くなってしまう。
【０００５】
本発明は、こうした実情に鑑みてなされたものであり、その目的は、洗浄後の乾燥時間を短縮することを可能としたパレット及びパレットに用いるグロメットを提供することにある。
【課題を解決するための手段】
【０００６】
上記課題を解決するパレットは、デッキボードを上下に貫通した貫通孔にグロメットが取り付けられたパレットにおいて、前記グロメットは、前記貫通孔内に位置する胴部と、前記胴部の上部から外側に張り出した上鍔部を備えた上部拡径部であって、前記上鍔部の内面から外面の方向へ外周部の一部を切り欠き前記上鍔部の外面側を残存させた薄肉部を備えた前記上部拡径部と、前記胴部の下部から外側に張り出した下鍔部と前記下鍔部を上下に貫通して切り欠いた下部切欠部とを備えた下部拡径部とを備え、前記貫通孔は、前記デッキボードの載荷面側に備え、前記上部拡径部を支持する上部支持部と、前記上部支持部に連続し、前記胴部が位置する貫通部と、前記下部拡径部を挿入端として、前記上部支持部の側から前記貫通孔に挿入された前記グロメットの前記下部拡径部の内面と係合する係合部とを備える。
【０００７】
上記構成によれば、パレットを洗浄するときに、洗浄液がグロメットと貫通孔の周壁との隙間から浸入し、貫通孔内に洗浄液が溜まってしまうことがある。この点、グロメットの上部拡径部は、薄肉部で気密性が低下する。したがって、貫通孔内に溜まった洗浄液は、下部切欠部から出やすくなり、結果として、パレットの洗浄後の乾燥時間を短縮することができる。
【０００８】
上記パレットについて、前記胴部は、上部から下部に向かうほど縮径し、前記下部拡径部は、前記上部拡径部よりも小径であることが好ましい。
上記構成によれば、グロメットの下部拡径部を挿入端として貫通孔に挿入しやすくなる。
【０００９】
上記パレットについて、前記貫通孔の周壁は、前記載荷面に対する垂直面であり、前記胴部の外周面と前記周壁との間には、空間部が構成されていることが好ましい。
上記構成によれば、パレットの成形のばらつきを吸収し、貫通孔にグロメットを確実に取り付けることができる。
【００１０】
上記パレットについて、前記薄肉部と前記下部切欠部とは、前記胴部の周回方向において同じ位置に設けられていることが好ましい。
上記構成によれば、薄肉部から浸入した洗浄液はそのまま下部切欠部から排出されやすくなる。
【００１１】
上記課題を解決するグロメットは、パレットのデッキボードを上下に貫通した貫通孔に取り付けられるグロメットであって、前記貫通孔内に位置する胴部と、前記胴部の上部から外側に張り出した上鍔部を備えた上部拡径部であって、前記上鍔部の内面から外面の方向へ外周部の一部を切り欠き前記上鍔部の外面側を残存させた薄肉部を備えた前記上部拡径部と、前記胴部の下部及び前記下部の外側に張り出した下鍔部と前記下鍔部を上下に貫通して切り欠いた下部切欠部とを備えた下部拡径部とを備える。
【００１２】
上記構成によれば、パレットを洗浄するときに、洗浄液がグロメットと貫通孔の周壁との隙間から浸入し、貫通孔内に洗浄液が溜まってしまうことがある。この点、グロメットの上部拡径部は、薄肉部で気密性が低下する。したがって、貫通孔内に溜まった洗浄液は、下部切欠部から出やすくなり、結果として、パレットの洗浄後の乾燥時間を短縮することができる。
【発明の効果】
【００１３】
本発明によれば、パレットの洗浄後の乾燥時間を短縮することができる。
【図面の簡単な説明】
【００１４】
【図１】グロメットが取り付けられたパレットの一実施形態の上面側の構造を示す斜視図。
【図２】同実施形態のグロメットが取り付けられたパレットの下面側の構造を示す斜視図。
【図３】同実施形態のグロメットの上面側の構造を示す斜視図。
【図４】同実施形態のグロメットの下面側の構造を示す斜視図。
【図５】同実施形態のパレットにグロメットを取り付けた状態を示す断面図。
【発明を実施するための形態】
【００１５】
以下、図１〜図５を参照して、パレット及びグロメットの一実施形態について説明する。パレットは、四方差しの片面パレットである。
図１及び図２に示すように、パレット１は、上部パレット形成部材２と下部パレット形成部材３とを備えている。上部パレット形成部材２と下部パレット形成部材３とは、相互に溶着されている。
【００１６】
上部パレット形成部材２は、矩形板状を有するデッキボード２０と、デッキボード２０から下部パレット形成部材３に向けて延びる上部桁２１とを備えている。デッキボード２０には、デッキボード２０の外面である載荷面２２から、デッキボード２０において載荷面２２とは反対側の面である桁形成面２３までを貫通する複数の貫通孔２４が形成されている。上部パレット形成部材２は、例えばポリプロピレンを用いたガスアシスト成形法によって内部が中空となるように成形されている。
【００１７】
貫通孔２４は、デッキボード２０の２つの対角線上にそれぞれ４個形成されている。複数の貫通孔２４の各々には、フォークリフトやパレットトラックのフォークに対してパレット１が滑ることを抑えるためのグロメット１０が嵌入されている。
【００１８】
デッキボード２０の載荷面２２には、載荷面２２に載置される積載物が載荷面２２に対して滑ることを抑えるために、３本の滑り止めテープ２５が溶着されている。３本の滑り止めテープ２５の各々は、載荷面２２の有する一辺に沿って延びる直線形状を有している。３本の滑り止めテープ２５の各々は、載荷面２２の有する右側縁から載荷面２２の有する左側縁まで、載荷面２２の有する一辺のほぼ全長にわたる長さを有している。３本の滑り止めテープ２５の各々は、滑り止めテープ２５の延びる方向である延在方向に対して直交する方向に沿って並んでいる。
【００１９】
下部パレット形成部材３は、矩形板状を有する接地ボード３０と、接地ボード３０から上部パレット形成部材２に向けて延びる筒形状を有した下部桁３１とを備えている。パレット１は、上部桁２１の下側端部と、上部桁２１と対向する下部桁３１の上側端部とが溶着することによって構成されている。下部パレット形成部材３は、上部パレット形成部材２と同じく、例えばポリプロピレンを用いたガスアシスト成形法によって成形されている。
【００２０】
パレット１の周面には、各面の中央の桁と両角の桁との間にそれぞれ１つ、合計で８つのフォーク挿入孔４を備えている。すなわち、フォーク挿入孔４は、各辺に２つずつ備えている。互いに相対する辺に設けられた各フォーク挿入孔４は、連通しており、フォークリフトやパレットトラックのフォークが挿入される挿入通路である。グロメット１０が嵌入される貫通孔２４は、フォーク挿入孔４により構成される挿入通路に臨むように設けられている。
【００２１】
図３及び図４に示すように、グロメット１０は、貫通孔２４内に位置する胴部１１と、胴部１１の上部を外側に張り出して構成した上部拡径部１２と、胴部１１の下部を外側に張り出して構成した下部拡径部１４とを備えている。
【００２２】
胴部１１は、円錐台形状を有し、上部から下部に向かうほど縮径した形状を有している。すなわち、胴部１１の下端部の外径Ｄ１１は、胴部１１の上端部の外径Ｄ１０よりも小径であり（Ｄ１１＜Ｄ１０）（図５参照）、貫通孔２４を構成する貫通部４１の側壁との間に隙間Ｗが形成されるようにしている。
【００２３】
上部拡径部１２は、胴部１１の上部と、胴部１１の上部の外側に張り出した上鍔部１２Ａとを備えている。さらに、上部拡径部１２は、上鍔部１２Ａの内面（下面）から外面（上面）の方向へ外周部の一部を切り欠き、上鍔部１２Ａの外面側を残存させた薄肉部１３を備えている。上部拡径部１２は胴部１１よりも拡径している。上部拡径部１２の外径Ｄ１２は、胴部１１の上部の外径Ｄ１０よりも大径であり（Ｄ１２＞Ｄ１０）（図５参照）、貫通孔２４の上部支持部４２に係止されるようにしている。
【００２４】
薄肉部１３は、上部拡径部１２の外面（上面）に臨んで、上面の一部を構成している。そして、薄肉部１３の裏側には、上鍔部１２Ａの外周部及び内面（下面）に、厚さ方向に非貫通の切欠部１３Ａが構成されている。このため、パレット１の載荷面２２側から見たとき、上部拡径部１２の薄肉部１３の裏側に位置する切欠部１３Ａが見えないことから、意匠の悪化を抑えることができる。切欠部１３Ａの形状は、ここでは矩形切欠き形状を有している。なお、切欠部１３Ａの形状は、特に限定されるものではなく、Ｖ字形状などでもよい。また、切欠部１３Ａは、胴部１１に対して張り出した上鍔部１２Ａだけでなく、胴部１１にまで入り込んだ切欠部とすることもできる。
【００２５】
下部拡径部１４は、胴部１１の下部と、胴部１１の下部の外側に張り出した下鍔部１４Ａとを備えている。さらに、下部拡径部１４は、下鍔部１４Ａを上下に貫通して切り欠いた下部切欠部１５を備えている。下部拡径部１４は胴部１１よりも拡径している。下部拡径部１４の外径Ｄ１４は、胴部１１の下部の外径Ｄ１１よりも大径であり（Ｄ１４＞Ｄ１１）（図５参照）、胴部１１の下部よりも拡径して、係合部４３に係合するようにしている。下鍔部１４Ａは、内面（上面１４Ｂ）が貫通部４１から突出した係合部４３と係合する部分であり、胴部１１の上下方向に延びる中心軸線に対して垂直な平坦面を備えている。また、下鍔部１４Ａの外面（下面）は、外周部がテーパ面となっており、係合部４３を乗り越えやすくしている。下部拡径部１４の外径Ｄ１４は、上部拡径部１２の外径Ｄ１２よりも小径であり（Ｄ１４＜Ｄ１２）（図５参照）、貫通部４１に容易に挿入されるようにしている。
【００２６】
下部切欠部１５は、隙間Ｗ内に溜まった洗浄水の排水口となる部分である。下部切欠部１５は、下鍔部１４Ａを矩形切欠き形状を有している。なお、下部切欠部１５の形状は、特に限定されるものではなく、Ｖ字形状などでもよい。また、下部切欠部１５は、胴部１１に対して張り出した下鍔部１４Ａだけでなく、胴部１１にまで入り込んだ切欠部とすることもできる。
【００２７】
薄肉部１３と下部切欠部１５とは、胴部１１の周回方向において同じ位置に設けられている。また、上部拡径部１２の周回方向における薄肉部１３の開口幅Ｌ１３は、下部拡径部１４の周方向における下部切欠部１５の開口幅Ｌ１５よりも長い（Ｌ１３＞Ｌ１５）。薄肉部１３の部分は、下部切欠部１５と異なり非貫通であるため、気密性を下げるため下部切欠部１５より幅広とされている。
【００２８】
図５に示すように、以上のように構成されたグロメット１０は、下部拡径部１４を貫通孔２４への挿入端として、載荷面２２から貫通孔２４に対して挿入される。貫通孔２４は、デッキボード２０の載荷面２２側に備えられる上部支持部４２と、上部支持部４２に連続する貫通部４１と、グロメット１０の下部拡径部１４の内面（上面１４Ｂ）と係合する係合部４３とを備えている。
【００２９】
上部支持部４２は、上部拡径部１２が嵌合される凹部であり、上部拡径部１２を裏面（下面１２Ｂ）側から支持する支持面と、支持面周囲の側壁とを備えている。支持面は、凹部の底面であり、底面の中央部は、貫通部４１が位置している。上部支持部４２の直径Ｄ４２は、グロメット１０の胴部１１が位置する部分である貫通部４１の直径Ｄ４１よりも大径であり（Ｄ４２＞Ｄ４１）、上部拡径部１２が上部支持部４２に支持されるようにしている。グロメット１０の上部拡径部１２の外径Ｄ１２は、上部支持部４２の直径Ｄ４２よりも若干小径であり（Ｄ１２＜Ｄ４２）、上部拡径部１２と上部支持部４２との間に微小隙間が形成されるようにしている。また、上部拡径部１２の高さＨ１２は、上部支持部４２の深さＬ４２よりも若干短く（Ｈ１２＞Ｌ４２）、上部拡径部１２が上部支持部４２から突出しないようにしている。
【００３０】
貫通部４１には、貫通孔２４に挿入されたグロメット１０の胴部１１が位置する。貫通部４１の周壁は、載荷面２２に対する垂直面である。胴部１１の外周面と貫通部４１の周壁との間には、空間部として隙間Ｗが構成されている。
【００３１】
係合部４３は、下部拡径部１４を挿入端として、上部支持部４２の側から貫通孔２４に挿入されたグロメット１０の下部拡径部１４の内面（上面１４Ｂ）と係合する。係合部４３の上面は、内側下方へ向かって傾斜する挿入案内面として構成されている。また、係合部４３の下面は、下鍔部１４Ａの内面（上面１４Ｂ）と接触する貫通部４１の周壁に対して垂直な係合面である。係合部４３の上面が傾斜しているため、グロメット１０を貫通孔２４に上から挿入した際に、少なくとも下鍔部１４Ａ及び係合部４３の何れか一方が撓んで下部拡径部１４が通過し、下部拡径部１４の上面１４Ｂが係合部４３に係合する。係合部４３の先端部の直径Ｄ４３は、貫通部４１の直径Ｄ４１よりも短く（Ｄ４３＜Ｄ４１）、貫通部４１の内側に突出するようにしている。グロメット１０の下部拡径部１４の外径Ｄ１４は、貫通部４１の直径Ｄ４１よりも若干小径であり（Ｄ１４＜Ｄ４１）、係合部４３の先端部の直径Ｄ４３よりも大径であり（Ｄ１４＞Ｄ４３）、下部拡径部１４が貫通部４１に挿入可能且つ係合部４３に係合するようにしている。
【００３２】
上部拡径部１２が上部支持部４２に嵌入されるとともに、下部拡径部１４が係合部４３に係合することで、グロメット１０は貫通孔２４の上下方向に対して位置決めされる。そして、グロメット１０は、上部拡径部１２がパレット１の載荷面２２から突出しないとともに、下部拡径部１４が桁形成面２３から突出している。
【００３３】
次に、上記パレット１及びグロメット１０の作用について説明する。
グロメット１０が取り付けられたパレット１のフォーク挿入孔４にフォークリフト等のフォークを挿入して、フォークを持ち上げると、フォークとグロメット１０の下部拡径部１４が接触し、フォークに対してパレット１が滑ることを抑制することができる。グロメット１０の上部拡径部１２は載荷面２２から突出していないので、積載物に対して窪みなどが形成されることを防ぐことができる。
【００３４】
また、グロメット１０が取り付けられたパレット１を水等の洗浄液によって洗浄すると、グロメット１０の胴部１１と貫通孔２４の貫通部４１との隙間Ｗに洗浄液が浸入する。すなわち、グロメット１０における上部拡径部１２の外周部と上部支持部４２の側壁との微小隙間から洗浄液が内部に浸入し、胴部１１と貫通部４１との隙間Ｗに洗浄液が溜まる。この点、上部支持部４２において、薄肉部１３の部分は、上部支持部４２側壁との接触面積が減り、その分、気密性が低下している。薄肉部１３の部分は、洗浄液が内部に浸入しやすい部分でもあるが、外部空間と連通し易い大気連通部としても機能する。したがって、隙間Ｗに浸入した洗浄液は、下部切欠部１５から排出されやすくなり、洗浄液の蒸発を促進することができる。隙間Ｗに浸入した洗浄水は、胴部１１の外周面が上部から下部に掛けて縮径する傾斜面で構成されている。したがって、隙間Ｗ内の洗浄水の少なくとも一部は、胴部１１の外周面を伝って、下部に位置する下部切欠部１５から排水されることになる。
【００３５】
以上説明したように、本実施形態によれば、以下の効果を奏することができる。
（１）パレット１を洗浄するときに、洗浄液がグロメット１０と貫通孔２４の周壁との隙間Ｗから浸入し、貫通孔２４内に洗浄液が溜まってしまうことがある。この点、グロメット１０の上部拡径部１２は、薄肉部１３で気密性が低下する。したがって、貫通孔２４内に溜まった洗浄液は、下部切欠部１５から出やすくなり、結果として、パレット１の洗浄後の乾燥時間を短縮することができる。
【００３６】
（２）グロメット１０の胴部１１が上部から下部に向かうほど縮径するとともに、下部拡径部１４の外径Ｄ１４が上部拡径部１２の外径Ｄ１２より短いため、グロメット１０をパレット１の貫通孔２４に挿入しやすい。
【００３７】
（３）貫通部４１に対して胴部１１、隙間Ｗが形成される程度に小さいため、グロメット１０の大きさや形状にばらつきがあっても、隙間Ｗによってばらつきを吸収することができ、貫通孔２４にグロメット１０を確実に取り付けることができる。
【００３８】
（４）薄肉部１３と下部切欠部１５とは、胴部１１の周回方向において同じ位置に設けられているので、グロメット１０の薄肉部１３から浸入した洗浄液は鉛直方向にそのまま落ちていくことで下部切欠部１５から排出されやすくなる。
【００３９】
なお、上記実施形態は、これを適宜変更した以下の形態にて実施することもできる。
・上記構成において、貫通孔２４の位置及び数は任意に設定可能である。また、貫通孔２４に対するグロメット１０の取り付け有無も任意に設定可能である。すなわち、全ての貫通孔２４に対してグロメット１０が取り付けられていなくてもよい。
【００４０】
・薄肉部１３と下部切欠部１５とを胴部１１の周方向において同じ位置に設けたが、薄肉部１３と下部切欠部１５とを胴部１１の周方向において異なる位置に設けてもよい。
・上記実施形態では、貫通部４１の周壁を載荷面２２に対する垂直面としたが、貫通部４１の周壁が載荷面２２に対して傾斜していてもよい。すなわち、隙間Ｗの大きさや形状は、図５の例に限定されるものではない。
【００４１】
・上記実施形態では、グロメット１０の胴部１１が上部から下部に向かうほど縮径した円錐台形状としたが、グロメット１０の胴部１１を上部と下部の直径が同じ円柱形状や上部と下部の直径が同じで中間部の直径を大きくした樽型形状としてもよい。また、一例として、胴部１１の下端部の外径Ｄ１１は、胴部１１の上端部の外径Ｄ１０よりも大径として（Ｄ１１＞Ｄ１０）、上部から下部に向かうほど拡径した円錐台形状としてもよい。
【００４２】
・上記実施形態では、グロメット１０の下部拡径部１４の外径Ｄ１４を、上部拡径部１２の外径Ｄ１２よりも小径とした（Ｄ１４＜Ｄ１２）が、グロメット１０の下部拡径部１４の外径Ｄ１４を、上部拡径部１２の外径Ｄ１２よりも大径としてもよい（Ｄ１４＞Ｄ１２）。
【００４３】
・上記実施形態では、グロメット１０の下部拡径部１４の上面が貫通孔２４の係合部４３と係合したが、係合部４３を省略して、下部拡径部１４の内面（上面１４Ｂ）がパレット１の桁形成面２３と当接するようにしてもよい。すなわち、グロメット１０の下部拡径部１４の外径Ｄ１４を、貫通部４１の内径Ｄ４１よりも大径としてもよい（Ｄ１４＞Ｄ４１）。
【００４４】
・上記実施形態では、薄肉部１３の開口幅Ｌ１３を下部切欠部１５の開口幅Ｌ１５よりも長く（Ｌ１３＞Ｌ１５）した。しかしながら、薄肉部１３の開口幅Ｌ１３と下部切欠部１５の開口幅Ｌ１５を同じにしてもよいし（Ｌ１３＝Ｌ１５）、薄肉部１３の開口幅Ｌ１３を下部切欠部１５の開口幅Ｌ１５よりも短く（Ｌ１３＜Ｌ１５）してもよい。
【００４５】
・上記実施形態では、円錐台形状を含む円柱状のグロメット１０としたが、中央に貫通孔を有する円筒状のグロメット１０としてもよい。
・上記実施形態では、薄肉部１３の数と下部切欠部１５の数とを同数としたが、薄肉部１３の数と下部切欠部１５の数とを異ならせてもよい。また、薄肉部１３や下部切欠部１５は、複数設けるようにしてもよい。
【００４６】
・上記実施形態では、グロメット１０がフォークと接触するように桁形成面２３よりも下方に突出したが、グロメット１０がパレット１の載荷面２２の積載物と接触するように載荷面２２よりも上方に突出してもよい。これにより、積載物が載荷面２２に対して滑ることを抑えることができる。また、グロメット１０が桁形成面２３よりも下方に突出するとともに、載荷面２２よりも上方に突出してもよい。
【００４７】
・上記構成において、パレット１は、四方差しのパレットにおいて両面が載荷面に設定された両面仕様のパレットであってもよいし、片面仕様あるいは両面使用の二方差しのパレットであってもよい。
【符号の説明】
【００４８】
１…パレット、２…上部パレット形成部材、３…下部パレット形成部材、４…フォーク挿入孔、１０…グロメット、１１…胴部、１２…上部拡径部、１２Ａ…上鍔部、１２Ｂ…下面、１３…薄肉部、１３Ａ…切欠部、１４…下部拡径部、１４Ａ…下鍔部、１４Ｂ…上面、１５…下部切欠部、２０…デッキボード、２１…上部桁、２２…載荷面、２３…桁形成面、２４…貫通孔、２５…滑り止めテープ、３０…接地ボード、３１…下部桁、４１…貫通部、４２…上部支持部、４３…係合部、Ｗ…隙間。
【図１】
2019023103.tif 000003
【図２】
2019023103.tif 000004
【図３】
2019023103.tif 000005
【図４】
2019023103.tif 000006
【図５】
2019023103.tif 000007